(57)【要約】      （修正有）【課題】自動的に最適な外れ止め位置に配置することができる外れ止めを備えるサッシを提供する。【解決手段】外れ止め手段５はブロック体５１２とトリガ部材５２２とからなり、ブロック体５１２は、縦框３４の上方部位に上方に付勢されて保持され、被係合部５１２ｃを備えており、トリガ部材５２２は、縦框３４の側面より突出する突出位置と縦框３４内に収納される収納位置とに切換自在であり、収納位置においてブロック体５１２の被係合部５１２ｃに係合してブロック体５１２の上下方向の移動を規制する係合部５２２ｂを備え、係合部５２２ｂが被係合部５１２ｃに係合することでブロック体５１２を下方に移動させるように付勢されており、トリガ部材５２２が突出位置から収納位置に切換られることにより、係合部５２２ｂを被係合部５１２ｃに係合してブロック体５１２の上下方向への移動を規制する。【選択図】図７
2019090314.tif 000002
【特許請求の範囲】
【請求項１】
建物開口部に取付けられる窓枠と、窓枠に対してスライドして開閉自在に設けられる障子と、障子の縦框に設けられ窓枠からの外れを防止する外れ止め手段とを備え、
外れ止め手段は、窓枠の上レールに下方から当接して障子の外れを防止するブロック体と、ブロック体の上下方向の移動を規制するトリガ部材とからなり、
ブロック体は、縦框の上方部位に上下動自在に、かつ、上方に付勢されて保持されているとともに、被係合部を備えており、
トリガ部材は、縦框の側面より突出して閉鎖時にサッシを構成する他の部材に干渉する突出位置と縦框内に収納される収納位置とに切換自在であるとともに、収納位置においてブロック体の被係合部に係合してブロック体の上下方向の移動を規制する係合部を備えており、かつ、係合部がブロック体の被係合部に係合することでブロック体を下方に移動させるように付勢されており、
障子の建て込み後に上レールによりブロック体の上方への移動が規制された状態において、トリガ部材が突出位置から収納位置に切換られることにより、トリガ部材の係合部をブロック体の被係合部に係合してブロック体の上下方向の移動を規制する
ことを特徴とするサッシ。
【発明の詳細な説明】
【技術分野】
【０００１】
本発明は、障子が窓枠から外れるのを防止する外れ止め手段を備えるサッシに関する。
【背景技術】
【０００２】
従来より、ビル等の壁面を構成するサッシでは、窓枠に対して所謂ケンドン方式で障子を嵌め込む方式が採用されているが、地震や開閉時等に不意に障子が窓枠から外れるのを防止するために障子用外れ止めが設けられている（特許文献１）。
【先行技術文献】
【特許文献】
【０００３】
【特許文献１】特開２００８−２９７７１１号
【発明の概要】
【発明が解決しようとする課題】
【０００４】
しかしながら、上記先行技術文献の外れ止めは、手動により位置調節するためにその操作が煩雑であった。また、障子のケンドンによる建て込み作業等により、自動的に外れ止め位置に配置される外れ止めも考えられてはいるが、外れ止めは、自動的に外れ止め位置に配置はされるものの、サッシの上枠のたれなど施工時の誤差等に対応するためにその外れ止め位置は最適な外れ止め位置から余裕をもって形成せざるを得ず、サッシのがたつきの原因ともなりかねなかった。
【０００５】
本発明は、上記の事情を鑑み、サッシの建て込み作業等によって、自動的に最適な外れ止め位置に配置することができる外れ止めを備えるサッシを提供することを目的とする。
【課題を解決するための手段】
【０００６】
本発明は、建物開口部に取付けられる窓枠と、窓枠に対してスライドして開閉自在に設けられる障子と、障子の縦框に設けられ窓枠からの外れを防止する外れ止め手段とを備え、外れ止め手段は、窓枠の上レールに下方から当接して障子の外れを防止するブロック体と、ブロック体の上下方向の移動を規制するトリガ部材とからなり、ブロック体は、縦框の上方部位に上下動自在に、かつ、上方に付勢されて保持されているとともに、被係合部を備えており、トリガ部材は、縦框の側面より突出して閉鎖時にサッシを構成する他の部材に干渉する突出位置と縦框内に収納される収納位置とに切換自在であるとともに、収納位置においてブロック体の被係合部に係合してブロック体の上下方向の移動を規制する係合部を備えており、かつ、係合部がブロック体の被係合部に係合することでブロック体を下方に移動させるように付勢されており、障子の建て込み後に上レールによりブロック体の上方への移動が規制された状態において、トリガ部材が突出位置から収納位置に切換られることにより、トリガ部材の係合部をブロック体の被係合部に係合してブロック体の上下方向の移動を規制することを特徴とする。
【発明の効果】
【０００７】
本発明によれば、操作者が調整作業をすることなく、サッシの外れ止めに最適な位置に自動的に外れ止め手段を配置することができる。
【図面の簡単な説明】
【０００８】
【図１】本発明の実施形態に係るサッシの外観図である。
【図２】本発明の実施形態に係るサッシに設けられる外れ止めを説明するための図であり、縦框の上部の拡大図である。
【図３】本発明の第１の実施形態に係るサッシに設けられる外れ止めを説明するための図であり、縦框の上部の内部拡大図である。
【図４】本発明の第１の実施形態に係るサッシに設けられる外れ止めの動きを説明するための図であり、（ａ），（ｂ）ともに、縦框の上部の内部断面図である。
【図５】本発明の第１の実施形態に係るサッシに設けられる外れ止めの動きを説明するための図であり、（ａ），（ｂ）ともに、縦框の上部の内部断面図である。
【図６】本発明の実施形態に係るサッシに設けられる外れ止めの動きを説明するための図であり、縦框の上部の平面図である。
【図７】本発明の第２の実施形態に係るサッシに設けられる外れ止めを説明するための図であり、縦框の上部の内部拡大図である。
【図８】本発明の第２の実施形態に係るサッシに設けられる外れ止めの動きを説明するための図であり、（ａ），（ｂ）ともに、縦框の上部の内部断面図である。
【図９】本発明の第２の実施形態に係るサッシに設けられる外れ止めの動きを説明するための図であり、（ａ），（ｂ）ともに、縦框の上部の内部断面図である。
【発明を実施するための形態】
【０００９】
本発明の実施形態のサッシについて、図面を参考に説明する。
（全体の構成）
図１に示すように、本発明の実施形態のサッシは、建物開口部に設置される窓枠１と、窓枠１に対して引き違い開閉自在に設けられる内障子２及び外障子３と、外障子３の召合せ框３４の上方部位（Ａに示す位置）に配置される外れ止め手段５とからなる。
以下、本発明の特徴部分である外れ止め手段について、詳細に説明する。
【００１０】
（外れ止め手段の取付）
図２に、外障子３の召合せ框３４の上方部位の拡大図を示す。なお、説明のために召合せ框３４に連結される上框を省いている。
召合せ框３４は、アルミニウム等の材料を押出成形してなり、その上部には、窓枠１の上レールを案内するための案内溝３４ａが設けられている。
召合せ框３４の室内側面には、内障子２の召合せ框２４の片部２４ａ（図６）との協働により煙返しを形成する片部３４ｂが長さ方向に亘って設けられ、上方部位においてその一部が切り欠かれて切欠部３４ｃが形成されている。
【００１１】
外れ止め手段５は、窓枠１の上レールに当接して窓枠１からの外れを阻止するための本体部５１と、本体部５１の外れ止め状態を維持するためのロック部５２とから構成されており、図２に示すように、本体部５１は召合せ框３４の上方端部の開口より嵌入して固定されるとともに、ロック部５２は召合せ框３４の室内側面に設けられた開口部より挿入され、外れ止め手段５の外れ止め状態に移行させるためのトリガ部材５２２が室内側面から突出するように固定されている。
【００１２】
−第１の実施形態−
（外れ止め手段の構成）
図３を参考に、本発明の第１の実施形態に係るサッシに採用されている外れ止め手段５をさらに説明する。
外れ止め手段５の本体部５１は略矩形の箱状をなすカバー体５１１と、カバー体５１１の内部に上下移動自在に収容され、その上面を上レールに当接させることで窓枠１から外障子３の外れを阻止するブロック体５１２と、ブロック体５１２を下方より上方へ付勢するバネ等の付勢手段５１３とから構成されている。
【００１３】
カバー体５１１は、その上面に、上レールを案内するスリット５１１ａが形成されており、また、室内側側面は、ロック部５２を受け入れるために開口されている。
そして、図２に示すように、本体部５１を召合せ框３４の上方端部の開口に嵌入した際に、召合せ框３４の上端面に当接する縁部５１１ｂと召合せ框３４の案内溝３４ａの端面に当接する縁部５１１ｃを有しており、本体部５１は、召合せ框３４の上方部位に保持される。
【００１４】
カバー体５１１の内部には、案内ピン５１１ｄが設けられており、ブロック体５１２に形成された案内長孔５１２ａを案内することにより、カバー体５１１内部においてブロック体５１２の所定の上下幅における移動を許容している。
【００１５】
ブロック体５１２は、略矩形状をなすブロックにより構成され、その上面がカバー体５１１のスリット５１１ａに臨むようにカバー体５１１内に配置されている。ブロック体５１２の略中央位置には、カバー体５１１の案内ピン５１１ｄが配置される案内長孔５１２ａが形成されるとともに、その下面には、コイルバネ等の付勢手段５１３を固定する固定部５１２ｂが形成され、固定部５１２ｂとカバー体５１１の内周上面との間に配置された付勢手段５１３により、常に上方に付勢されている。
そして、ブロック体５１２の室内側側面には、上下方向に複数段の被係合部５１２ｃが形成されている。
【００１６】
一方、ロック部５２は、召合せ框３４の室内側側面の開口に係止保持されるケース体５２１と、ケース体５２１内において召合せ框３４の室内側面から突出する突出位置と召合せ框３４内に収納される収納位置との間を回動可能に支持されるトリガ部材５２２と、トリガ部材５２２を突出位置と収納位置とのいずれかに選択的に付勢する選択付勢手段５２３とから構成されている。
【００１７】
ロック部５２のケース体５２１は、略矩形形状をしており、その上下外周には召合せ框３４に係止固定するための係止部５２１ａが形成されているとともに、その室内側面及び室外側面には、トリガ部材５２２が突出するための開口が形成されている。    
また、ケース体５２１の内周には、トリガ部材５２２を回動支持する支持軸５２１ｂが形成されており、トリガ部材５２２を回動自在に支持している。
【００１８】
トリガ部材５２２は、ケース体５２１の支持軸５２１ｂを中心にして突出位置と収納位置とに選択的に維持され、その突出位置において召合せ框３４から突出する室内側部位には、左右方向に傾斜を有する山形形状の当接部５２２ａを有しており、また、収納位置においてケース体５２１の室外側から突出する室外側部位には係合部５２２ｂを有している。また、その下方部位には、選択付勢手段５２３により付勢されてトリガ部材５２２を突出位置もしくは収納位置に選択的に維持するための選択爪５２２ｃを有している。
【００１９】
選択付勢手段５２３は、図４（ａ）に示すように、トリガ部材５２２の選択爪５２２ｃに下方より当接する押圧体５２３ａと、押圧体５２３ａとケース体５２１の上面との間に配置されるコイルバネ等の付勢部材５２３ｂとからなる。
押圧体５２３ａの上面には、突起部５２３ｃが形成され、トリガ部材５２２の選択爪５２２ｃを、突起部５２３ｃの室外側に当接させることによりトリガ部材５２２を突出位置に維持させて、反対に、突起部５２３ｃの室内側に当接させることによりトリガ部材５２２を収納位置に維持させるように構成されている。
【００２０】
そして、トリガ部材５２２が突出位置にあるときには、当接部５２２ａが召合せ框３４の室内側面より突出され、突出したトリガ部材５２２の当接部５２２ａは、サッシの閉鎖時において召合せ框２４の室外側部位（片部２４ａ）と干渉するものであり、一方、トリガ部材５２２が収納位置にあるときには、係合部５２２ｂがケース体５２１の室外側面より突出され、突出したトリガ部材５２２の係合部５２２ｂは、ブロック体５１２の被係合部５１２ｃに係止して、ブロック体５１２の下方への移動を規制する。
【００２１】
（外れ止め手段の作動状態）
外れ止め手段５による外障子３の外れ止めの作用について、図４乃至図６を参考に説明する。
図４（ａ）は、外障子３をケンドンによって窓枠１に嵌め込む前の外れ止め手段５の状態を示している。
本体部５１のカバー体５１１内において、ブロック体５１２は付勢手段５１３により上方に付勢され、その上端がカバー体５１１の上壁下面に形成された中空部５１１ｅに当接した状態で維持されている。
【００２２】
一方、ロック部５２のトリガ部材５２２は、その選択爪５２２ｃが選択付勢手段５２３の押圧体５２３ａ上面の突起部５２３ｃの室外側に位置し、突起部５２３ｃによって反時計回りの回転を阻止された状態にあり、当接部５２２ａがケース体５２１の室内側開口、すなわち召合せ框３４の室内側に突出した突出位置に維持された状態となっている。
【００２３】
図４（ａ）に示す状態の外障子３を、窓枠１の上レール１１ａに対してケンドンにより建て込んだ後の状態を、図４（ｂ）に示す。
外障子３が窓枠１に対して建て込まれることにより、外れ止め手段５のスリット５１１ａに案内される窓枠１の上レール１１ａがブロック体５１２を付勢手段５１３の付勢力に抗して下方に押し下げ、ブロック体５１２の上面に上レール１１ａの下端が当接してブロック体５１２の上方への移動が規制された状態となる。
一方、外障子３の建て込みは、ロック部５２には何ら影響を与えない。
図４（ｂ）に示す状態の平面図を図６の矢印Ａに示す。召合せ框３４の室内側よりトリガ部材５２２が突出し、トリガ部材５２２の当接部５２２ａは切欠部３４ｃを抜けて片部３４ｂの室内側に至っている。
【００２４】
図４（ｂ）及び図６の矢印Ａに示す状態の外障子３を、窓枠１のレールに沿って閉鎖位置に移動し、閉鎖直前となった状態を図６の矢印Ｂに示す。
外障子３の召合せ框３４の室内側面より突出しているトリガ部材５２２の当接部５２２ａは、サッシの閉鎖時において召合せ框２４の室外側部位（片部２４ａ）と干渉するので、外障子３を閉鎖状態に移動させることにより、内障子２の片部２４ａに当接することとなる。
【００２５】
この状態から、さらに、外障子３を閉鎖方向に移動させると、当接部５２２ａの左右方向に傾斜する山形形状の部分に片部２４ａが当接することによって当接部５２２ａには室外方向への力が加わり、トリガ部材５２２を支持軸５２１ｂを中心に反時計回りに回転させる。
その状態を図５（ａ）に示す。トリガ部材５２２の選択爪５２２ｃが付勢部材５２３ｂの付勢力に抗して押圧体５２３ａの突起部５２３ｃを乗り越えて、トリガ部材５２２は、召合せ框３４の内部に収納される収納位置に切り換えられる。
【００２６】
そして、トリガ部材５２２の係合部５２２ｂはケース体５２１の室外側へ突出して、トリガ部材５２２が収納位置に切り換えられた時、即ち上レール１１ａに当接して上方への移動が規制された状態のブロック体５１２の何れかの被係合部５１２ｃに係合する。
【００２７】
さらに、付勢手段５２３の付勢力により、ブロック体５１２は被係合部５１２ｃと係合部５２２ｂとの係合のずれの分だけ若干下方に回動して、図５（ｂ）に示すように、被係合部５１２ｃと係合部５２２ｂとが完全な状態で係合されて、ブロック体５１２の上下方向の移動が規制される。それにより上レール１１ａの下面とブロック体５１２との間に若干の間隔ｄが形成され、スムーズなスライド開閉を行うことができる。
【００２８】
なお、サッシのメンテナンス時等、外障子３を窓枠１から外す際には、室内側から外障子３の召合せ框３４の室内側から、ピンｐ等によってトリガ部材５２２の選択爪５２２ｃを押して回動させ、係合部５２２ｂとブロック体５１２の被係合部５１２ｃとの係合を解除すればよい。
【００２９】
−第２の実施形態−
（外れ止め手段の構成）
図７を参考に、本発明の第２の実施形態に係るサッシに採用されている外れ止め手段５を説明する。なお、外れ止め手段５の召合せ框３４への取付等第１の実施形態と同様の構成については、その説明を省略して、ここでは、第１の実施形態と異なる部分について特に説明することとし、同一の部位については、同一の符号を付けることとする。
【００３０】
外れ止め手段５の本体部５１は、カバー体５１１と、カバー体５１１の内部に上下移動自在に収容され、その上面を上レールに当接させることで窓枠１から外障子３の外れを阻止するブロック体５１２と、ブロック体５１２を下方より上方へ付勢するバネ等の付勢手段５１３とから構成されている。
カバー体５１１の内部には、案内ピン５１１ｄが設けられており、ブロック体５１２に形成された案内長孔５１２ａを案内することにより、カバー体５１１内部においてブロック体５１２の所定の上下幅における移動を許容し、ブロック体５１２の下面に形成された固定部５１２ｂとカバー体５１１の内周上面との間に配置された付勢手段５１３により、常に上方に付勢されている。
【００３１】
そして、ブロック体５１２の室内側下方から湾曲状に室内側に弾性腕部５１２ｄが延設され、その室内側面に上下方向に複数段の被係合部５１２ｃが形成されている。なお、第２の実施形態においては、被係合部５１２ｃは必ず複数段必要というものではなく、被係合部５１２ｃが一つ形成されているものでもよい。
ブロック体５１２は合成樹脂等の弾性を有する材料から形成されており、弾性腕部５１２ｄは、室内外方向に若干の移動を許容されている。
【００３２】
一方、ロック部５２は、召合せ框３４の室内側側面の開口に係止保持されるケース体５２１と、ケース体５２１内において召合せ框３４の室内側面から突出する突出位置と召合せ框３４内に収納される収納位置との間を選択可能に支持されるトリガ部材５２２とから構成されている。
【００３３】
ロック部５２のケース体５２１は、略矩形形状をしており、その上下外周には召合せ框３４に係止固定するための係止部５２１ａが形成されているとともに、その室内側面及び室外側面には、トリガ部材５２２が突出するための開口が形成されている。    
また、ケース体５２１の内周には、トリガ部材５２２を支持する支持軸５２１ｂが形成されており、また、下方の係止部５２１ａの上面には後述するトリガ部材５２２の選択爪５２２ｃを選択的に係止する突起部５２１ｃが形成されている。
【００３４】
トリガ部材５２２は、突出位置において召合せ框３４から突出する当接部５２２ａと収納位置においてブロック体５１２の被係合部５１２ｃに係合する複数段の係合部５２２ｂとを有し、その略中央位置に上下方向に延び下方に開口する長孔５２２ｄが形成される外装部５２２１と、外装部の長孔５２２ｄ内を長手方向に沿って移動可能に支持され、外装部５２２１との間に配置された付勢手段５２２ｅの付勢力により下方に付勢される内装部５２２２とにより構成されている。
【００３５】
内装部５２２２の中央部には長孔５２２ｆが形成されており、ケース体５２１の内周に設けられた支持軸５２１ｂに対して回動且つ上下動自在に支持されることでトリガ部材５２２がケース体５２１に支持されている。
また、内装部の下方部位には選択爪５２２ｃが形成されており、付勢手段５２２ｅの付勢力により長孔５２２ｄの下方の開口より選択爪５２２ｃが突出して、ケース体５２１の突起部５２１ｃに対して、トリガ部材５２２が突出位置と収納位置とのいずれかの位置に選択的に係止されている。
【００３６】
図８（ａ）に示すように、ケース体５２１の突起部５２１ｃに対して、トリガ部材５２２の選択爪５２２ｃを、突起部５２１ｃの室外側に当接させることによりトリガ部材５２２を突出位置に維持させて、反対に、突起部５２１ｃの室内側に当接させることによりトリガ部材５２２を収納位置に維持させるように構成されている。
【００３７】
（外れ止め手段の作動状態）
外れ止め手段５による外障子３の外れ止めの作用について、図８乃至図９を参考に説明する。
図８（ａ）は、外障子３をケンドンによって窓枠１に嵌め込む前の外れ止め手段５の状態を示している。
本体部５１のカバー体５１１内において、ブロック体５１２は付勢手段５１３により上方に付勢され、その上端がカバー体５１１の上方部位に形成された突部５１１ｆに当接した状態で維持されている。
【００３８】
一方、ロック部５２のトリガ部材５２２は、その選択爪５２２ｃがケース体５２１上面の突起部５２１ｃの室外側に位置し、突起部５２１ｃによって反時計回りの回転を阻止された状態にあり、当接部５２２ａがケース体５２１の室内側開口、すなわち召合せ框３４の室内側に突出した突出位置に維持された状態となっている。
【００３９】
図８（ａ）に示す状態から、外障子３を窓枠１の上レール１１ａに対してケンドンにより建て込んだ後の状態を、図８（ｂ）に示す。
外障子３が窓枠１に対して建て込まれることにより、外れ止め手段５のスリット５１１ａに案内される窓枠１の上レール１１ａがブロック体５１２を付勢手段５１３の付勢力に抗して下方に押し下げ、ブロック体５１２の上面に上レール１１ａの下端が当接してブロック体５１２の上方への移動が規制された状態となる。
【００４０】
図８（ｂ）に示す状態の外障子３を、窓枠１のレールに沿って閉鎖位置に移動させると、当接部５２２ａの左右方向に傾斜する山形形状の部分に召合せ框２４の片部２４ａが当接することによって当接部５２２ａには室外方向への力が加わり、図９（ａ）に示すように、トリガ部材５２２を支持軸５２１ｂを中心に反時計回りに回転させる。
その際、トリガ部材５２２の選択爪５２２ｃが付勢部材５２３ｂの付勢力に抗して長孔内を上方へ移動し、ケース体５２１の突起部５２１ｃを乗り越えて、トリガ部材５２２は、召合せ框３４の内部に収納される収納位置に切り換えられる。
【００４１】
そして、トリガ部材５２２の係合部５２２ｂはケース体５２１の室外側へ突出して、トリガ部材５２２が収納位置に切り換えられた時、即ち上レール１１ａに当接して上方への移動が規制された状態のブロック体５１２の被係合部５１２ｃに係合する。
さらに、付勢手段５２２ｅの付勢力により、トリガ部材５２２の選択爪５２２ｃはケース体５２１の突起部５２１ｃの室内側面に係合されることとなり、それに伴って、ブロック体５１２は被係合部５１２ｃと係合部５２２ｂとの係止のずれの分だけ若干下方に回動して、図９（ｂ）に示すように、被係合部５１２ｃと係合部５２２ｂとが完全な状態で係合されて、ブロック体５１２の上下方向の移動が規制される。それにより上レール１１ａの下面とブロック体５１２との間に若干の間隔ｄが形成され、スムーズなスライド開閉を行うことができる。
このとき、被係合部５１２ｃが弾性腕部５１２ｄに設けられているために、係合部５２２ｂの当接係合に対してその衝撃を吸収するとともに係合部同士の誤差を補正しながら、被係合部５１２ｃと係合部５２２ｂとの係合を確実に行うことができる。
【００４２】
以上のように、本発明の実施形態のサッシにおいては、外障子３を建て込んだ状態において、上レールにより上方への移動が規制された外れ止め手段のブロック体をロック状態にすることができるので、上枠がたれるなど枠体や障子の設置寸法に誤差が生じても、外れ止め手段のブロック体と上レールとの間を最適な状態に設定することができ、がたつき等を抑制することができる。
また、ブロック体をロック状態に維持するトリガ部材は、ブロック体の下方への移動を規制している状態では、縦框内に収納されているので、トリガ部材が障子の開閉の邪魔になることがない。
【００４３】
そして、トリガ部材がブロック体の被係合部に係合されることにより、上レールとブロック体との間に微小な間隔をあけるように構成されているので、外れ止め手段のブロック体の高さ設定が簡単で、また、障子の開閉時に上レールとブロック体が当接せずに、スムーズな開閉を可能としている。
【００４４】
更に、障子を閉鎖位置まで移動させるまでは、トリガ部材はブロック体の下方への移動を規制しないので、障子を建て込んだ後の戸車の高さ調節等の微調節が可能であり、調節後の障子の高さに合わせて外れ止め手段のブロック体を設定でき、外れ止め状態における上レールと外れ止め手段との間隔を最適な状態に設定することができる。
また、第２の実施形態においては、ブロック体の被係合部が弾性を有する弾性腕部に形成されているので、トリガ部材の係合部が被係合部に係合する際の衝撃を吸収するとともに係合部と被係合部との位置の誤差を弾性腕部の変形により補正することができるので、係合部と被係合部との係合を確実、かつスムーズに行うことができる。
さらに、仮に、施工誤差や施工後のたわみ等の変形によりブロック体の上面がレールに対して干渉することがあっても、弾性腕部が下方に撓むことで障子が走行できる。
【００４５】
なお、本実施形態においては、外れ止め手段を引き違い窓の召合せ框の上方部位に設けたサッシを用いて説明したが、外れ止め手段を設ける窓は、引き違い窓に限定されるものではなく、片引き窓等のサッシに用いることもできる。
【符号の説明】
【００４６】
１        ：窓枠
１１ａ    ：上レール
２        ：内障子
２４      ：召合せ框
２４ａ    ：片部
３        ：外障子
３４      ：召合せ框（縦框）
３４ａ    ：案内溝
３４ｂ    ：片部
３４ｃ    ：切欠部
５        ：外れ止め手段
５１      ：本体部
５１１    ：カバー体
５１１ａ  ：スリット
５１１ｂ  ：縁部
５１１ｃ  ：縁部
５１１ｄ  ：案内ピン
５１１ｅ  ：中空部
５１１ｆ  ：突部
５１２    ：ブロック体
５１２ａ  ：案内長孔
５１２ｂ  ：固定部
５１２ｃ  ：被係合部
５１２ｄ  ：弾性腕部
５１３    ：付勢手段
５２      ：ロック部
５２１    ：ケース体
５２１ａ  ：係止部
５２１ｂ  ：支持軸
５２１ｃ  ：突起部
５２２    ：トリガ部材
５２２１  ：外装部
５２２２  ：内装部
５２２ａ  ：当接部
５２２ｂ  ：係合部
５２２ｃ  ：選択爪
５２２ｄ  ：長孔
５２２ｅ  ：付勢手段
５２２ｆ  ：長孔
５２３    ：選択付勢手段
５２３ａ  ：押圧体
５２３ｂ  ：付勢部材
５２３ｃ  ：突起部
Ａ        ：矢印
Ｂ        ：矢印
ｐ        ：ピン
【図１】
2019090314.tif 000003
【図２】
2019090314.tif 000004
【図３】
2019090314.tif 000005
【図４】
2019090314.tif 000006
【図５】
2019090314.tif 000007
【図６】
2019090314.tif 000008
【図７】
2019090314.tif 000009
【図８】
2019090314.tif 000010
【図９】
2019090314.tif 000011